(57)【要約】      （修正有）【課題】一回で細い枝に対して剪定でき、より操作しやすくかつ省力であり、自動的に一回切り式と多段式剪定モードを切り替える効果を奏する一回切り式および多段式兼用の園芸用はさみを提供する。【解決手段】一回切り式および多段式を兼用する園芸用はさみは第一柄１０と、刃物本体２０と、第二柄３０と、連動部分４０とを含む。第一柄にはそれぞれ刃物本体と第二柄が枢設され、連動部分の一端は第二柄に枢接され、もう一端は刃物本体の鋸歯状開口２２にスライド可能に配置される。第二柄のスライド溝３１４は連動部分のバネ４１が固定される反対側に設けられ、スライド溝には棒３３がスライド可能に配置され、連動部分により刃物本体の位置変化が制御される。小幅に開く過程では、連動部分の横棒４２は鋸歯状開口の前部位置に保たれ、多段剪定の位置まで後退しない。【選択図】図１
0003215455.tif 000002
【実用新案登録請求の範囲】
【請求項１】
一回切り式および多段式を兼用する園芸用はさみであって、第一柄と、刃物本体と、第二柄と、連動部分とを含み、
上記第一柄の一端には第一柄本体が形成され、そして上記第一柄のもう一端には受け刃が形成され、また上記第一柄の中間部には軸孔が形成され、そして上記軸孔と上記受け刃の間に枢孔が設けられ、
上記刃物本体の一端に切り刃が形成され、また上記刃物本体のもう一端に鋸歯状開口が設けられ、上記鋸歯状開口は上記切り刃に近い位置に開口前部が形成され、そして上記切り刃から離れた位置に開口後部が形成され、また上記刃物本体の中間部に連結孔が形成され、そして上記刃物本体と上記第一柄は上記連結孔によって上記軸孔との枢接が形成されることで、上記受け刃と上記切り刃が互いにすり合わせると切ることができ、
上記第二柄は、対称の二つの板部分によって一体に結合され、また上記板部分の一端に枢接孔が設けられ、上記板部分のもう一端に第二柄本体が形成され、上記板部分は上記枢接孔端より第二柄本体に向かって順番に回転軸孔と固定留め具が設けられ、また上記第二柄は上記枢接孔によって上記第一柄の枢孔に枢設され、上記枢接孔と上記回転軸孔の間にスライド溝が設けられ、また上記スライド溝に棒がスライド可能に配置され、
上記連動部分の一端にバネが連接され、上記バネのもう一端は上記第二柄の上記固定留め具に固定され、また上記連動部分のもう一端には横棒が設置され、そして上記横棒が上記刃物本体の上記鋸歯状開口にスライド可能に配置され、上記連動部分は上記バネの近くに回転孔が設けられ、上記連動部分の上記回転孔が第二柄の上記回転軸孔に枢設され、また上記連動部分には弧状縁が形成され、上記受け刃と上記切り刃の開き角度が比較的小さい時、上記弧状縁は上記棒に接触しないため、上記横棒は上記鋸歯状開口の上記開口前部の位置に保たれ、また上記受け刃と上記切り刃の開き角度が比較的大きい時、上記弧状縁が上記棒を押し付け、上記横棒を上記鋸歯状開口の上記開口後部位置まで後退させることを特徴とする一回切り式および多段式を兼用する園芸用はさみ。
【請求項２】
上記第二柄は第一柄に向かっての片側に阻止縁が形成され、また上記スライド溝は上記阻止縁と隣接し、そして上記阻止縁は上記横棒を押し付けることに用いられるため、上記横棒は段階的に上記鋸歯状開口の異なる位置に引っ掛けられることを特徴とする請求項１の一回切り式および多段式を兼用する園芸用はさみ。
【請求項３】
上記第一柄本体と該第二柄本体にはすべてアームを連接できることを特徴とする請求項１の一回切り式および多段式を兼用する園芸用はさみ。
【考案の詳細な説明】
【技術分野】
【０００１】
本考案は園芸用はさみに関し、特に自動的にモードを切り替えできる一回切り式および多段式を兼用する園芸用はさみに関する。
【背景技術】
【０００２】
従来の園芸用はさみ構造については中国実用新案公告番号ＣＮ２０２４０６６０３号、公告日は２０１２年９月５日に記載されるように分割剪定できる枝切りばさみであって、説明書の第００２６段落に述べられるように、比較的太い枝を切りたい時、ギアチェンジバーが設置されていないボタンを押すと、第一レバーと第二レバーの開く角度が大きくなるため、連接棒の一端の位置限定楔がまず最下端のギア歯と合わせて一回目の剪定動作を終わらせた後、第一レバーと第二レバーを開かせ、復位バネの張力の働きで連接棒の一端の位置限定楔が自動的に次のギア歯に切り替えられると、第二段の剪定が行われる。毎回の剪定動作が完成された後、連接棒にある位置限定楔が上のギア歯に進んで、二回または多数回の剪定動作によって枝が切断される。さらに毎回の第一レバーと第二レバーの開き角度はともに大きくないため、長さが十分な力臂が保証され、体力節約できる効果が得られる。一回性で比較的細い枝を剪定する必要がある時、先に上述の手順で連接棒の一端の位置限定楔を枝の直径と対応するギア歯に固定し、ギアチェンジバーが設置されているボタンを押すと、ギアチェンジバーが連接棒の中間位置に当たって、そして回転を制限し、第一レバーと第二レバーを押すと枝を切断できるが、ギアの変化が生じず、固定構造が形成されるため、大量に剪定する際は毎回ギアを調節する必要がないため、効率を上げ、本実用新案の適用範囲が拡大される。
【０００３】
上述のような従来構造をよく見ると不足する部分がまだ存在しており、主な原因は以下のようである。従来の園芸はさみ構造は一回切り式と多段式の剪定機能があるが、使用時は該ギアチェンジバーが設置されているボタンを押す必要があり、それで該連接棒の位置を制限できるため、一回切り式切りと多段切りのモード切り替えが実現される。実際に使用する時、該枝木は常に太い枝と細い枝が互い違いに成長するため、同一区域の枝木を剪定する時、一回切りと多段切りのモード切り替えを絶えず押さないとならないために面倒で、時間がかかる。その上、片手を空けてボタンを押すことは操作上において難しく、また該枝木の分布範囲が広く、それに剪定後の見た目も兼ねないといけない。従って、先に太い枝を切ってから全部の細い枝を剪定することは剪定作業に適しない。これらは本創作が解決すべき技術問題点である。
【０００４】
従って、本考案者は長年にわたって関係商品の製造開発と設計をした経験により、上述の目標について、詳しく設計をして慎重に評価した結果、実用性に満ちた本考案を得た。
【考案の概要】
【考案が解決しようとする課題】
【０００５】
本考案が解決しようとする課題は、従来技術に存在する上述の欠点について解決し、一回切り式および多段式を兼用する園芸用はさみを提供する。
【課題を解決するための手段】
【０００６】
本考案の一回切り式および多段式を兼用する園芸用はさみは、第一柄の一端には第一柄本体が形成され、そして該第一柄のもう一端には受け刃が形成され、また該第一柄の中間部には軸孔が形成され、そして該軸孔と該受け刃の間に枢孔が設けられる。刃物本体の一端に切り刃が形成され、また該刃物本体のもう一端に鋸歯状開口が設けられ、該鋸歯状開口は該切り刃に近い位置に開口前部が形成され、そして該切り刃から離れた位置に開口後部が形成される。また該刃物本体の中間部に連結孔が形成され、そして該刃物本体と該第一柄は該連結孔によって該軸孔との枢接が形成されることで、該受け刃と該切り刃が互いにすり合わせると切ることができる。第二柄は対称な二つの板部分によって一体に結合される。また該板部分の一端に枢接孔が設けられ、それに該板部分のもう一端に第二柄本体が形成される。該板部分は該枢接孔端より第二柄本体に向かって順番に回転軸孔と固定留め具が設けられる。また該第二柄は該枢接孔によって該第一柄の枢孔に枢設される。該枢接孔と該回転軸孔の間にスライド溝が設けられ、また該スライド溝に棒がスライド可能に配置される。連動部分の一端にバネが連接され、該バネのもう一端は該第二柄の該固定留め具に固定される。また該連動部分のもう一端には横棒が設置され、そして該横棒が該刃物本体の該鋸歯状開口にスライド可能に配置される。該連動部分は該バネの近くに回転孔が設けられる。該連動部分の該回転孔が第二柄の該回転軸孔に枢設される。また該連動部分には弧状縁が形成され、該受け刃と該切り刃の開き角度が比較的小さい時、該弧状縁は該棒に接触しないため、該横棒は該鋸歯状開口の該開口前部位置に保たれる。また該受け刃と該切り刃の開き角度が比較的大きい時、該弧状縁が該棒を押し付け、該横棒を該鋸歯状開口の該開口後部の位置まで後退させる。
【０００７】
その中、該第二柄は第一柄に向かっての片側に阻止縁が形成され、また該スライド溝は該阻止縁と隣接し、そして該阻止縁は該横棒を押し付けることに用いられるため、該横棒は段階的に該鋸歯状開口の異なる位置に引っ掛けられる。
【０００８】
その中、該第一柄本体と該第二柄本体はすべてアームを連接できる。
【０００９】
本考案の第一の主な目的は、該受け刃と切り刃で細い枝を切りたい時は開き角度を小さく開けば、この時該スライド溝は該連動部分にバネが固定される反対側に設けられることを利用し、また該棒は該スライド溝にスライド可能に配置されることで次第に該連動部分に連接される該刃物本体の位置変化を制御し、開き角度が小さく開く過程で、該連動部分はバネの張力に制御され、そして該連動部分はまだ該棒の阻止を受けることがないため、該連動部分の横棒は該鋸歯状開口の開口前部位置に保たれ、最大の開き角度の時のように開口後部に移動されないため、多段式剪定モードになることなく、一般のはさみのように細い枝を一回で剪定でき、該剪定はより操作しやすくかつ省力であり、自動的に一回切り式と多段式剪定モードを切り替える効果がある。
【００１０】
本考案の第二の主な目的は、該棒は該スライド溝に合わせることで滑り移動可能な状態が実現され、主に該スライド溝によって第一柄を回避することができ、さらに該連動部分の弧状縁にある内凹構造と該スライド溝が提供する押し上げプロセスに合わせると、該棒が該連動部分に対する阻止時期を遅延できるため、一回切り式の効果を保ち、有効に該受け刃と該切り刃の最大開き角度を拡大でき、実用性を増加させる。
【００１１】
そのほかの目的、利点及び本考案の新しい特性は以下の詳しい叙述と関係図面によりさらに明らかになる。
【図面の簡単な説明】
【００１２】
【図１】図１は、本考案に係る一回切り式および多段式を兼用する園芸用はさみを示す立体図である。
【図２】図２は、本考案に係る一回切り式および多段式を兼用する園芸用はさみを示す立体分解図である。
【図３】図３は、本考案が太い枝を剪定する動作を示す状態図（一）である。
【図４】図４は、本考案が太い枝を剪定する動作を示す状態図（二）である。
【図５】図５は、本考案が太い枝を剪定する動作を示す状態図（三）である。
【図６】図６は、本考案が細い枝を剪定する動作を示す状態図（一）である。
【図７】図７は、本考案が細い枝を剪定する動作を示す状態図（二）である。
【図８】図８は、本考案がアームを連結する立体図である。
【考案を実施するための形態】
【００１３】
まず、図１、図２と図３を参照されたい。本考案の一回切り式および多段式を兼用する園芸用はさみは、第一柄１０と、刃物本体２０と、第二柄３０と、連動部分４０とを含む。第一柄１０の一端には第一柄本体１１が形成され、そして該第一柄１０のもう一端には受け刃１２が形成され、該第一柄１０の中間部には軸孔１３が形成され、そして該軸孔１３と該受け刃１２の間に枢孔１４が設けられる。刃物本体２０の一端に切り刃２１が形成され、該刃物本体２０のもう一端に鋸歯状開口２２が設けられ、また該鋸歯状開口２２は該切り刃２１に近い位置に開口前部２２１が形成され、そして該切り刃２１から離れた位置に開口後部２２２が形成される。また該刃物本体２０の中間部に連結孔２３が形成され、そして該刃物本体２０と該第一柄１０は該連結孔２３によって該軸孔１３との枢接が形成されることで、該受け刃１２と該切り刃２１が互いにすり合わせると切ることができる。第二柄３０は対称の二つの板部分３１によって一体に結合される。また該板部分３１の一端に枢接孔３１１が設けられ、それに該板部分３１のもう一端に第二柄本体３１２が形成される。該板部分３１は該枢接孔３１１端より第二柄本体３１２に向かって順番に回転軸孔３１３と固定留め具３２が設けられる。また該第二柄３０は該枢接孔３１１によって該第一柄１０の枢孔１４に枢設される。また該板部分３１は該枢接孔３１１と該回転軸孔３１３の間にスライド溝３１４が設けられ、そして該スライド溝３１４に棒３３がスライド可能に配置される。また該第二柄３０は第一柄１０に向かっての片側に阻止縁３１５が形成され、また該スライド溝３１４は該阻止縁３１５と隣接する。また図８に示されるように、該第一柄本体１１と該第二柄本体３１２はすべてアーム１５、３４に連接でき、これによって、剪定力が増進される。連動部分４０の一端にバネ４１が連接され、該バネ４１のもう一端は第二柄３０の該固定留め具３２に固定される。また該連動部分４０のもう一端には横棒４２が設置され、そして該横棒４２が該刃物本体２０の該鋸歯状開口２２にスライド可能に配置される。また該阻止縁３１５は該横棒４２を押し付けることに用いられるため、該横棒４２は段階的に該鋸歯状開口２２の異なる位置に引っ掛けられる。該連動部分４０は該バネ４１の近くに回転孔４３が設けられる。該連動部分４０の該回転孔４３が第二柄３０の該回転軸孔３１３に枢設される。また該連動部分４０には弧状縁４４が形成され、該受け刃１２と該切り刃２１の開き角度が比較的小さい時、該弧状縁４４は該棒３３に接触しないため、該横棒４２は該鋸歯状開口２２の該開口前部２２１位置に保たれる。また該受け刃１２と該切り刃２１の開き角度が比較的大きい時、該弧状縁４４が該棒３３を押し付け、該横棒４２を該鋸歯状開口２２の該開口後部２２２の位置まで後退させる。
【００１４】
その構造の組立については引き続き図１、図２、図３を参照されたい。該第一柄１０は該軸孔１３によって該刃物本体２０の連結孔２３と枢接され、該受け刃１２は該切り刃２１と向かえ合わせさせる。また該連動部分４０の一端は横棒４２によって該刃物本体２０の鋸歯状開口２２に穿設されるため、該連動部分４０は横棒４２を通して該鋸歯状開口２２に滑り移動できる。また該連動部分４０のもう一端にはバネが連結される。さらに第二柄３０の二つの板部分３１を固定留め具３２によって間隔的に固定されることで該第一柄１０は二つの板部分３１の間に穿設され、そして枢孔１４は該枢接孔３１１と合わせて枢接が形成される。同時に該連動部分４０も第二柄３０の内部に穿設され、そして該連動部分４０の回転孔４３によって該第二柄３０の回転軸孔３１３に枢接される。最後は該バネ４１のもう一端を該固定留め具３２の位置に連結させ、また該第二柄３０のスライド溝３１４に棒３３が穿設されると構造の組立が完成される。
【００１５】
実際に使用する時の効果は、引き続き図２から図５まで参照しながら説明する。多段式剪定が必要な時は、使用者は該第一柄１０の第一柄本体１１と該第二柄３０の第二柄本体３１２が外へ拡張するように制御し、該第一柄１０と第二柄３０は枢孔１４と枢接孔３１１で揺れ動くようになる。同時に、該第二柄３０の回転軸３１３より該連動部分４０を引っ張り、そして連動部分４０の横棒４２によって該刃物本体２０を連動して該連接孔２３を軸心にして揺れ動くように、該切り刃２１と該受け刃１２が相対的に開くことになる。そして最大の開き角度まで開く過程において、該バネ４１は該連動部分４０の一端を引っ張り、該連動部分４０を該回転孔４３で捻ると横棒４２は該鋸歯状開口２２の開口前部２２１の位置に当たるようになる。さらに、最大の開き角度に近づく時、該スライド溝３１４の棒３３によって該連動部分４０の弧状縁４４を阻止し、ついでに該横棒４２を押し動かして鋸歯状開口２２の開口後部２２２の位置まで滑り移動させ、多段式剪定の予備動作が完成される。そして、再び力を加えて該受け刃１２と該切り刃２１によって太い枝Ａを剪定する。該連動部分４０の横棒４２が該鋸歯状開口２２の異なる位置に当たることにより、該切り刃２１と受け刃１２が剪定において異なる力加減を生じさせることを制御する。該太い枝Ａは簡単に一回で切断できないため、第一柄１０と第二柄３０を多数回に開かせることに合わせて連動部分４０の横棒４２の多数回チェンジを利用すると多段式剪定の使用目的が実現される。また一回切り式剪定が必要な時は、さらに図６と図７を参照しながら説明する。該受け刃１２と切り刃２１は、細い枝Ｂを切りたい時では比較的小さい開き角度を開くだけである。この時は該スライド溝３１４は該連動部分４０にバネ４１が固定される反対側に設けられ、また該棒３３を該スライド溝３１４にスライド可能に配置することで該連結部分４０が該刃物本体２０を連結する位置の変化を制御する。小幅に開く過程において、該連動部分４０はバネ４１の張力制御を受け、また該連動部分４０はまだ該棒３３の阻止を受けていないため、該連動部分４０の横棒４２は依然に該鋸歯状開口２２の開口前部２２１位置に保たれ、最大の開き角度の時にように開口後部２２２に位置移動しない。これによって、多段式剪定モードに形成されず、一般的なはさみのように一回で細い枝Ｂに対して剪定できるため、該剪定はより操作しやすくかつ省力であり、自動的に一回切り式と多段式剪定モードを切り替える効果がある。より詳しく説明すると、該棒３３は該スライド溝３１４と合わせると滑り移動できる状態が形成され、主に該スライド溝３１４によって第一柄１０に対する回避が形成され、それに該連動部分４０の弧状縁４４の内凹構造と該スライド溝３１４が提供する押し上げプロセスと合わせると、該棒３３は該連動部分４０に対する阻止時期は遅延できるため、一回切り式剪定機能が前提になる元、有効的に該受け刃１２と該切り刃２１の最大の開き角度を拡大でき、実用性を増加させる。
【００１６】
以上は、本考案に係る実施例の一部に過ぎないため、本考案の実施範囲を制限するものではない。即ち、本考案の特許請求の範囲内で行われる変化、修飾なども本考案の範囲に属すべきである。
【符号の説明】
【００１７】
１０        第一柄
１１        第一柄本体
１２        受け刃
１３        軸孔
１４        枢孔
１５、３４  アーム
２０        刃物本体
２１        切り刃
２２        鋸歯状開口
２２１      開口前部
２２２      開口後部
２３        連結孔
３０        第二柄
３１        板部分
３１１      枢接孔
３１２      第二柄本体
３１３      回転軸孔
３１４      スライド溝
３１５      阻止縁
３２        固定留め具
３３        棒
４０        連動部分
４１        バネ
４２        横棒
４３        回転孔
４４        弧状縁
Ａ          太い枝
Ｂ          細い枝
【図１】
0003215455.tif 000003
【図２】
0003215455.tif 000004
【図３】
0003215455.tif 000005
【図４】
0003215455.tif 000006
【図５】
0003215455.tif 000007
【図６】
0003215455.tif 000008
【図７】
0003215455.tif 000009
【図８】
0003215455.tif 000010